(57)【要約】【課題】蓄電装置に入力可能な上限充電電力が最大充電電力に対してどの程度低下しているのかをユーザが直感的に把握できるようにする。【解決手段】充電制御システムは、車外の給電装置から供給される電力で車載の蓄電装置を充電する外部充電を実行可能な車両のユーザに情報を通知するためのユーザインターフェースと、蓄電装置に入力可能な制御上の上限電力である上限充電電力を最大充電電力以下に設定し、蓄電装置に入力される充電電力が上限充電電力を超えないように制御する制御装置とを備える。制御装置は、外部充電中において、上限充電電力が最大充電電力よりも所定量だけ低い閾値未満に低下している場合、外部充電の終了の要否をユーザに問い合わせるための問合せ情報をユーザインターフェースを介してユーザに通知する。問合せ情報には、最大充電電力と現時点の上限充電電力との双方の情報が含まれる。【選択図】図３
2020120529.tif 000002
【特許請求の範囲】
【請求項１】
車外の給電装置から供給される電力で車載の蓄電装置を充電する外部充電を実行可能な車両の充電制御システムであって、
前記車両のユーザに情報を通知するためのユーザインターフェースと、
前記蓄電装置に入力可能な制御上の上限電力である上限充電電力を最大充電電力以下に設定し、前記蓄電装置に入力される充電電力が前記上限充電電力を超えないように制御するように構成された制御装置とを備え、
前記制御装置は、前記外部充電の実行中あるいは実行前において前記上限充電電力が前記最大充電電力未満に低下している場合に、前記外部充電の終了あるいは非実行の要否を前記ユーザに問合せるための問合せ情報を前記ユーザインターフェースを介して前記ユーザに通知し、
前記問合せ情報には、前記最大充電電力と前記上限充電電力とを示す情報、前記最大充電電力と前記上限充電電力との比率を示す情報、前記最大充電電力で前記外部充電を行なった場合に前記外部充電に要する時間と前記上限充電電力で前記外部充電を行なった場合に前記外部充電に要する時間とを示す情報、の少なくともいずれかが含まれる、車両の充電制御システム。
【発明の詳細な説明】
【技術分野】
【０００１】
本開示は、車外の給電装置から供給される電力で車載の蓄電装置を充電する外部充電を実行可能な車両の充電制御システムに関する。
【背景技術】
【０００２】
特開２０１８−７４６７３号公報（特許文献１）には、車外の給電装置から供給される電力で車載の蓄電装置を充電する外部充電を実行可能な車両が開示されている。この車両は、外部充電のコストパフォーマンスを予測し、予測されたコストパフォーマンスが所定値未満である場合には、車両のユーザに対して、外部充電のコストパフォーマンスが低い旨を通知して、外部充電を実行するか否かを選択するようにユーザに促す。これにより、車両のユーザは、外部充電のコストパフォーマンスが低い場合に外部充電が実行されることを回避することが可能となる。
【先行技術文献】
【特許文献】
【０００３】
【特許文献１】特開２０１８−７４６７３号公報
【特許文献２】特開２００４−１５９４１４号公報
【特許文献３】特開２０１５−２３０００１号公報
【特許文献４】特開２０１３−１９８３７２号公報
【発明の概要】
【発明が解決しようとする課題】
【０００４】
特許文献１に開示された車両は、外部充電のコストパフォーマンスが低い旨を車両のユーザに通知するものに過ぎない。そのため、車両からの通知を受けたユーザは、外部充電のコストパフォーマンスが低いことは把握できるが、現在のコストパフォーマンスが最大のコストパフォーマンスに対してどの程度低下しているのかを把握することはできない。この点において改善の余地があった。
【０００５】
本開示は、上述の課題を解決するためになされたものであって、その目的は、外部充電の実行中あるいは実行前において、蓄電装置に入力可能な上限充電電力が最大充電電力に対してどの程度低下しているのかをユーザが直感的に把握できるようにすることである。
【課題を解決するための手段】
【０００６】
本開示による充電制御システムは、車外の給電装置から供給される電力で車載の蓄電装置を充電する外部充電を実行可能な車両の充電制御システムであって、車両のユーザに情報を通知するためのユーザインターフェースと、制御装置とを備える。制御装置は、蓄電装置に入力可能な制御上の上限電力である上限充電電力を最大充電電力以下に設定し、蓄電装置に入力される充電電力が上限充電電力を超えないように制御するように構成される。制御装置は、外部充電の実行中あるいは実行前において上限充電電力が最大充電電力未満に低下している場合に、外部充電の終了あるいは非実行の要否をユーザに問合せるための問合せ情報をユーザインターフェースを介してユーザに通知する。問合せ情報には、最大充電電力と上限充電電力とを示す情報、最大充電電力と上限充電電力との比率を示す情報、最大充電電力で外部充電を行なった場合に外部充電に要する時間と上限充電電力で外部充電を行なった場合に外部充電に要する時間とを示す情報、の少なくともいずれかが含まれる。
【０００７】
上記構成によれば、外部充電の実行中あるいは実行前において、現時点の上限充電電力が最大充電電力未満に低下している場合、車両のユーザに対して問合せ情報が通知される。問合せ情報には、最大充電電力と上限充電電力とを示す情報、最大充電電力と上限充電電力との比率を示す情報、最大充電電力で外部充電を行なった場合に外部充電に要する時間と上限充電電力で外部充電を行なった場合に外部充電に要する時間とを示す情報、の少なくともいずれかが含まれる。これにより、車両のユーザは、通知された問合せ情報を確認することによって、現時点の上限充電電力が最大充電電力に対してどの程度低下しているのかを直感的に把握することができる。
【発明の効果】
【０００８】
本開示によれば、外部充電の実行中あるいは実行前において、蓄電装置に入力可能な上限充電電力が最大充電電力に対してどの程度低下しているのかをユーザが直感的に把握することができる。
【図面の簡単な説明】
【０００９】
【図１】充電制御システムの全体構成の一例を模式的に示す図である。
【図２】蓄電装置の上限充電電力ＷＩＮと蓄電装置の温度との対応関係の一例を示す図である。
【図３】問合せ情報の内容の一例を示す図（その１）である。
【図４】制御装置の処理手順の一例を示すフローチャート（その１）である。
【図５】問合せ情報の内容の一例を示す図（その２）である。
【図６】問合せ情報の内容の一例を示す図（その３）である。
【図７】制御装置の処理手順の一例を示すフローチャート（その２）である。
【発明を実施するための形態】
【００１０】
以下、本開示の実施の形態について、図面を参照しながら詳細に説明する。なお、図中同一または相当部分には同一符号を付してその説明は繰り返さない。
【００１１】
図１は、本実施の形態による充電制御システムの全体構成の一例を模式的に示す図である。この充電制御システムは、車両１０と、給電設備４０と、ユーザ端末５０とを備える。車両１０は、インレット１３、充電器１４、蓄電装置１５、監視ユニット１５ａ、モータ駆動装置１６、ＨＭＩ（Human  Machine  Interface）装置１８、通信装置１９、制御装置２０を備える。
【００１２】
車両１０は、車両外部の給電設備４０から供給される電力で車載の蓄電装置１５を充電する外部充電を実行可能に構成された電動車両（電気自動車、プラグインハイブリッド自動車など）である。
【００１３】
インレット１３は、車両外部の給電設備４０と接続可能に構成され、外部充電を行なうための電力を給電設備４０から受ける。充電器１４は、制御装置２０からの制御信号によって動作し、外部充電を実行するように構成される。
【００１４】
蓄電装置１５は、たとえばニッケル水素電池あるいはリチウムイオン電池等の二次電池である。なお、蓄電装置１５は大容量のキャパシタであってもよい。
【００１５】
監視ユニット１５ａは、蓄電装置１５の状態（電圧、電流、温度など）を監視し、その監視結果を制御装置２０に出力する。
【００１６】
モータ駆動装置１６は、蓄電装置１５から供給される電力を用いて車両駆動力を発生する。モータ駆動装置１６は、駆動輪に機械的に接続されたモータジェネレータと、制御装置２０からの指令に応じてモータジェネレータの通電量を制御するパワーコントロールユニット（インバータなど）とを含む。モータ駆動装置１６に含まれるモータジェネレータの数は１つであっても２つ以上であってもよい。
【００１７】
ＨＭＩ装置１８は、車両１０の内部に設けられ、ユーザにさまざまな情報を提供したり、ユーザの操作を受け付けたりするためのユーザインターフェースである。ＨＭＩ装置１８は、車室内に設けられたディスプレイ、スピーカなどを含む。なお、ＨＭＩ装置１８は、たとえば、ナビゲーション装置（図示せず）のディスプレイおよびスピーカが流用されてもよい。
【００１８】
通信装置１９は、車両外部の給電設備４０およびユーザ端末５０と通信可能に構成される。ユーザ端末５０は、車両１０のユーザ（所有者）が使用するユーザインターフェース（たとえば、スマートフォン、パソコンなど）である。ユーザ端末５０は、ユーザによる操作を受け付ける装置、およびユーザに情報を提供するためのディスプレイおよびスピーカなどを備える。
【００１９】
制御装置２０は、図示しないＣＰＵ（Central  Processing  Unit）およびメモリを内蔵し、当該メモリに記憶された情報および各センサからの情報に基づいて車両１０の各機器（充電器１４、モータ駆動装置１６、ＨＭＩ装置１８、通信装置１９など）を制御する。
【００２０】
制御装置２０は、蓄電装置１５の温度などに基づいて、蓄電装置１５に入力可能な制御上の上限電力（以下「上限充電電力ＷＩＮ」ともいう）を、最大充電電力ＷＩＮｍａｘ以下に設定する。上限充電電力ＷＩＮの単位は「ワット」である。
【００２１】
図２は、蓄電装置１５の上限充電電力ＷＩＮと蓄電装置１５の温度との対応関係の一例を示す図である。図２において、横軸は蓄電装置１５の温度を表わし、縦軸は上限充電電力ＷＩＮを表わす。
【００２２】
図２に示す例では、蓄電装置１５の温度が所定温度ｔ２から所定温度ｔ３（ｔ３＞ｔ２）までの温度領域に含まれる場合には、上限充電電力ＷＩＮは最大充電電力ＷＩＮｍａｘに設定される。なお、最大充電電力ＷＩＮｍａｘの値は、蓄電装置１５の仕様あるいは給電設備４０の仕様などによって予め決定される。
【００２３】
蓄電装置１５の温度が所定温度ｔ３よりも高い温度領域に含まれる場合には、蓄電装置１５の過熱を抑制するために、上限充電電力ＷＩＮが最大充電電力ＷＩＮｍａｘ未満に低下される。具体的には、蓄電装置１５の温度が高いほど上限充電電力ＷＩＮが最大充電電力ＷＩＮｍａｘよりも小さい値に低下され、蓄電装置１５の温度が所定温度ｔ４（ｔ４＞ｔ３）を超えると上限充電電力ＷＩＮは０に設定される。
【００２４】
蓄電装置１５の温度が所定温度ｔ２よりも低い温度領域に含まれる場合には、蓄電装置１５の劣化を抑制するために、上限充電電力ＷＩＮが最大充電電力ＷＩＮｍａｘ未満に低下される。具体的には、蓄電装置１５の温度が低いほど上限充電電力ＷＩＮが最大充電電力ＷＩＮｍａｘよりも小さい値に低下され、蓄電装置１５の温度が所定温度ｔ１（ｔ１＜ｔ２）未満に低下すると上限充電電力ＷＩＮは０に設定される。
【００２５】
なお、図２に示す対応関係はあくまで一例であって、これに限定されるものではない。また、上限充電電力ＷＩＮの設定に用いられるパラメータは、蓄電装置１５の温度に限定されるものではなく、他のパラメータが含まれてもよい。
【００２６】
制御装置２０は、外部充電中において、充電器１４から蓄電装置１５に入力される電力（以下「充電電力Ｐｉｎ」ともいう）が上限充電電力ＷＩＮを超えないように充電器１４を制御する。具体的には、制御装置２０は、充電電力Ｐｉｎの目標値（以下「目標充電電力Ｐｉｎｔａｇ」ともいう）が上限充電電力ＷＩＮ以下である場合には充電電力Ｐｉｎを目標充電電力Ｐｉｎｔａｇに制御し、目標充電電力Ｐｉｎｔａｇが上限充電電力ＷＩＮを超えている場合には充電電力Ｐｉｎを上限充電電力ＷＩＮに制限する。これにより、蓄電装置１５の保護が図られる。
【００２７】
＜ユーザに対する問合せ情報の通知＞
上述の図２に示したように、蓄電装置１５の上限充電電力ＷＩＮは、蓄電装置１５の保護（過熱抑制あるいは劣化抑制）のために、最大充電電力ＷＩＮｍａｘ未満に低下される場合がある。
【００２８】
上限充電電力ＷＩＮが最大充電電力ＷＩＮｍａｘ未満に低下される場合、上限充電電力ＷＩＮが最大充電電力ＷＩＮｍａｘ未満に低下されない場合よりも、ユーザの意思に反して、外部充電に要する時間が延びてしまう。これは、ユーザにとって不都合な事象となり得る。たとえば、公共の場所に設置されている給電設備４０を用いて外部充電を行なう場合には、給電設備４０が車両１０のインレット１３に接続されている時間に応じた額がユーザに課金されることが想定される。この場合、外部充電に要する時間が延びるとユーザに課金される額も増加してしまい、ユーザにとって不都合な事象となる。
【００２９】
そこで、本実施の形態による制御装置２０は、外部充電の実行中において上限充電電力ＷＩＮが最大充電電力ＷＩＮｍａｘ未満に低下している場合、外部充電の終了の要否をユーザに問い合わせるための問合せ情報を、ユーザインターフェース（ＨＭＩ装置１８あるいはユーザ端末５０）を介してユーザに通知する。この際、制御装置２０は、ユーザに通知される問合せ情報に、現時点の上限充電電力ＷＩＮだけでなく、最大充電電力ＷＩＮｍａｘと現時点の上限充電電力ＷＩＮとの双方の情報を含める。そのため、車両１０のユーザは、通知された問合せ情報を確認することによって、現時点の上限充電電力ＷＩＮが最大充電電力ＷＩＮｍａｘに対してどの程度低下しているのかを直感的に把握した上で、外部充電を終了するのか否かを選択することができる。
【００３０】
図３は、ユーザへ通知される問合せ情報の内容の一例を示す図である。図３に示す例では、ユーザインターフェース（ＨＭＩ装置１８あるいはユーザ端末５０）のディスプレイ画面に問合せ情報を表示する例が示されている。
【００３１】
図３に示す問合せ情報には、通常時（上限充電電力ＷＩＮの低下なしの場合）の最大充電電力ＷＩＮｍａｘと、現時点（上限充電電力ＷＩＮの低下ありの場合）の上限充電電力ＷＩＮとが、上下に並べて表示されている。このような画面をユーザが確認することによって、ユーザは現時点の上限充電電力ＷＩＮが最大充電電力ＷＩＮｍａｘに対してどの程度低下しているのかを直感的に把握することができる。
【００３２】
さらに、図３に示す問合せ情報には、「現在、充電電力を制限しているため、充電時間が延びる可能性があります。」とのメッセージ、および充電電力が制限されている理由として「蓄電装置の過熱を防止するため」とのメッセージが表示されている。
【００３３】
さらに、図３に示す問合せ情報には、外部充電の終了の要否をユーザが選択できるように、「充電継続/終了を下記のボタンで選択して下さい。」とのメッセージが表示され、その下部に「継続」を選択するためのボタンと、「終了」を選択するためのボタンとが表示される。
【００３４】
ユーザは、図３に示されるような問合せ情報を画面上で確認することによって、現時点の上限充電電力ＷＩＮが最大充電電力ＷＩＮｍａｘに対してどの程度低下しているのかを直感的に把握した上で、外部充電を終了するのか否かを選択することができる。
【００３５】
図４は、制御装置２０が上述の問合せ情報をユーザに通知する際に実行する処理手順の一例を示すフローチャートである。このフローチャートは、たとえば外部充電の開始と同時に開始される。
【００３６】
制御装置２０は、現時点の上限充電電力ＷＩＮが閾値未満であるか否かを判定する（ステップＳ１０）。閾値は、最大充電電力ＷＩＮｍａｘよりも所定量αだけ低い値に予め設定されている（図２参照）。なお、所定量αは、予め定められた固定値であってもよいし、ユーザが任意に設定可能な可変値であってもよい。また、所定量αは０であってもよい。
【００３７】
上限充電電力ＷＩＮが閾値未満でない場合（ステップＳ１０においてＮＯ）、制御装置２０は、蓄電装置１５が満充電状態であるか否かを判定する（ステップＳ１１）。満充電状態ではない場合（ステップＳ１１においてＮＯ）、制御装置２０は、外部充電を継続する（ステップＳ１２）。その後、制御装置２０は、処理をステップＳ１０に戻す。一方、満充電状態である場合（ステップＳ１１においてＹＥＳ）、制御装置２０は、外部充電を終了する（ステップＳ１８）。
【００３８】
一方、上限充電電力ＷＩＮが閾値未満である場合（ステップＳ１０においてＹＥＳ）、制御装置２０は、上述の問合せ情報（図３参照）をユーザインターフェース（ＨＭＩ装置１８あるいはユーザ端末５０）を介してユーザに通知する（ステップＳ１４）。
【００３９】
問合せ情報をユーザに通知した後、制御装置２０は、ユーザからの充電終了要求があるか否かを判定する（ステップＳ１６）。具体的には、制御装置２０は、ユーザが上述の図３に示す「終了」ボタンを押す操作をしたことを示す情報をユーザインターフェースから受けた場合に、ユーザからの充電終了要求があると判定する。逆に、制御装置２０は、ユーザが上述の図３に示す「継続」ボタンを押す操作をしたことを示す情報をユーザインターフェースから受けた場合に、ユーザからの充電終了要求がない（すなわち充電継続要求がある）と判定する。ユーザからの充電終了要求がある場合（ステップＳ１６においてＹＥＳ）、制御装置２０は、その時点で外部充電を終了する（ステップＳ１８）。
【００４０】
ユーザからの充電終了要求がない場合（ステップＳ１６においてＮＯ）、制御装置２０は、処理をステップＳ１１に移し、蓄電装置１５が満充電状態であるか否かを判定する（ステップＳ１１）。満充電状態ではない場合（ステップＳ１１においてＮＯ）、制御装置２０は、外部充電を継続し（ステップＳ１２）、処理をステップＳ１０に戻す。一方、満充電状態である場合（ステップＳ１１においてＹＥＳ）、制御装置２０は、外部充電を終了する（ステップＳ１８）。
【００４１】
以上のように、本実施の形態による制御装置２０は、外部充電の実行中において上限充電電力ＷＩＮが閾値（最大充電電力ＷＩＮｍａｘよりも所定量αだけ低い値）未満に低下している場合、外部充電の終了の要否をユーザに問い合わせるための問合せ情報を、ユーザインターフェースを介してユーザに通知する。この際、制御装置２０は、ユーザに通知される問合せ情報に、現時点の上限充電電力ＷＩＮだけでなく、最大充電電力ＷＩＮｍａｘと現時点の上限充電電力ＷＩＮとの双方の情報を含める。そのため、車両１０のユーザは、通知された問合せ情報を確認することによって、現時点の上限充電電力ＷＩＮが最大充電電力ＷＩＮｍａｘに対してどの程度低下しているのかを直感的に把握した上で、外部充電を終了するのか否かを選択することができる。
【００４２】
＜変形例１＞
上述の実施の形態においては、問合せ情報に、最大充電電力ＷＩＮｍａｘと現時点の上限充電電力ＷＩＮとを示す情報を含める例について説明した（図３参照）。
【００４３】
しかしながら、問合せ情報に、最大充電電力ＷＩＮｍａｘと上限充電電力ＷＩＮとの情報に代えてあるいは加えて、最大充電電力ＷＩＮｍａｘと上限充電電力ＷＩＮとの比率を示す情報を含めるようにしてもよい。
【００４４】
図５は、本変形例１による問合せ情報の内容の一例を示す図である。図５に示す例では、問合せ情報に、最大充電電力ＷＩＮｍａｘに対する上限充電電力ＷＩＮの割合（以下「充電効率」ともいう）を示す情報を含める例が示される。より具体的には、図５には、通常時（ＷＩＮ低下なしの場合）の最大充電電力ＷＩＮｍａｘが１００％として表示され、その下側に、現時点（ＷＩＮ低下ありの場合）の充電効率が「（１００−Ｘ）％」として表示されている。なお、「Ｘ」は、現時点の充電効率の１００％からの低下率である。
【００４５】
このような画面をユーザが確認することによっても、ユーザは現時点の上限充電電力ＷＩＮが最大充電電力ＷＩＮｍａｘに対してどの程度低下しているのかを直感的に把握することができる。
【００４６】
＜変形例２＞
また、問合せ情報に、最大充電電力ＷＩＮｍａｘと上限充電電力ＷＩＮとの情報に代えてあるいは加えて、最大充電電力ＷＩＮｍａｘで外部充電を行なった場合に蓄電装置１５が満充電になるまでに要する時間（通常時の外部充電時間）と現時点の上限充電電力ＷＩＮで外部充電を行なった場合に蓄電装置１５が満充電になるまでに要する時間（現時点の外部充電時間）とを示す情報を含めるようにしてもよい。
【００４７】
図６は、本変形例２による問合せ情報の内容の一例を示す図である。図６に示す例では、問合せ情報に、最大充電電力ＷＩＮｍａｘと上限充電電力ＷＩＮとの情報に代えて、通常時（ＷＩＮ低下なしの場合）の外部充電時間と現時点（ＷＩＮ低下ありの場合）の外部充電時間とを上下に並べて表示されている。このような画面をユーザが確認することによっても、ユーザは現時点の上限充電電力ＷＩＮが最大充電電力ＷＩＮｍａｘに対してどの程度低下しているのかを直感的に把握することができる。
【００４８】
＜変形例３＞
上述の実施の形態においては、外部充電の実行中に問合せ情報をユーザに通知する例を説明した。これに対し、外部充電の実行前において問合せ情報をユーザに通知するようにしてもよい。
【００４９】
図７は、本変形例３による制御装置２０が上述の問合せ情報をユーザに通知する際に実行する処理手順の一例を示すフローチャートである。このフローチャートは、たとえば、車両１０の制御システムの状態がＲＥＡＤＹ−ＯＦＦ状態（車両走行不能状態）であり、かつ給電設備４０を車両１０に接続するプラグイン操作がユーザによって行なわれた時（外部充電の実行前）に開始される。
【００５０】
制御装置２０は、現時点の上限充電電力ＷＩＮが閾値（最大充電電力ＷＩＮｍａｘよりも所定量αだけ低い値）未満であるか否かを判定する（ステップＳ３０）。上限充電電力ＷＩＮが閾値未満でない場合（ステップＳ３０においてＮＯ）、制御装置２０は、外部充電を実行する（ステップＳ３８）。
【００５１】
一方、上限充電電力ＷＩＮが閾値未満である場合（ステップＳ３０においてＹＥＳ）、制御装置２０は、上述の問合せ情報をユーザインターフェースを介してユーザに通知する（ステップＳ３２）。ユーザに通知される問合せ情報には、最大充電電力ＷＩＮｍａｘと上限充電電力ＷＩＮとを示す情報（図３参照）、最大充電電力ＷＩＮｍａｘと上限充電電力ＷＩＮとの比率（充電効率）を示す情報（図５参照）、最大充電電力ＷＩＮｍａｘで外部充電を行なった場合の通常の外部充電時間と上限充電電力ＷＩＮで外部充電を行なった場合の現時点の外部充電時間とを示す情報（図６参照）、の少なくともいずれかが含まれる。また、ユーザに通知される問合せ情報には、上述の図３，図４，図５に示される「充電継続/終了を下記のボタンで選択して下さい。」とのメッセージ、「継続」を選択するためのボタン、「終了」を選択するためのボタンに代えて、それぞれ「充電実行/非実行を下記のボタンで選択して下さい。」とのメッセージ、「実行」を選択するためのボタン、「非実行」を選択するためのボタンが表示される。ユーザは、このような問合せ情報を画面上で確認することによって、現時点の上限充電電力ＷＩＮが最大充電電力ＷＩＮｍａｘに対してどの程度低下しているのかを直感的に把握した上で、外部充電を実行するのか否かを選択することができる。
【００５２】
問合せ情報をユーザに通知した後、制御装置２０は、ユーザからの充電非実行要求があるか否かを判定する（ステップＳ３４）。具体的には、制御装置２０は、ユーザが「非実行」ボタンを押す操作をしたことを示す情報をユーザインターフェースから受けた場合に、ユーザからの充電非実行要求があると判定する。逆に、制御装置２０は、ユーザが「実行」ボタンを押す操作をしたことを示す情報をユーザインターフェースから受けた場合に、ユーザからの充電非実行要求がない（すなわち充電実行要求がある）と判定する。
【００５３】
ユーザからの充電非実行要求がある場合（ステップＳ３４においてＹＥＳ）、制御装置２０は、外部充電を非実行とする（ステップＳ３６）。
【００５４】
一方、ユーザからの充電非実行要求がない場合（ステップＳ３４においてＮＯ）、制御装置２０は、外部充電を実行する（ステップＳ３８）。
【００５５】
以上のように、外部充電の実行前において問合せ情報をユーザに通知するようにしてもよい。
【００５６】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００５７】
１０  車両、１３  インレット、１４  充電器、１５  蓄電装置、１５ａ  監視ユニット、１６  モータ駆動装置、１８  ＨＭＩ装置、１９  通信装置、２０  制御装置、４０  給電設備、５０  ユーザ端末。
【図１】
2020120529.tif 000003
【図２】
2020120529.tif 000004
【図３】
2020120529.tif 000005
【図４】
2020120529.tif 000006
【図５】
2020120529.tif 000007
【図６】
2020120529.tif 000008
【図７】
2020120529.tif 000009